(57)【要約】【解決手段】支持構造は、溝およびチャネルを含む。この溝は、壁およびリップによって画定され得る。エネルギー消費デバイスは、磁石ならびに第１および第２の端子を支持する、筐体を含み、この磁石が、エネルギー消費デバイスを支持構造に結合する一助となる。筐体は、溝内に位置付けられ、この溝が、筐体を支持構造内に保持する一助となる一方で、チャネルは、エネルギー消費デバイスが可視となることを可能にする。エネルギー消費デバイスを固定する一助となるために、ヘッダが支持構造の両端に提供され得、その結果、筐体は、溝に沿って並行移動され得るが、支持構造からは除去され得ない。【選択図】なし
2013546153.tif 000002
【特許請求の範囲】
【請求項１】
エネルギー消費デバイスを支持するための支持構造であって、
ベース壁と、
該ベース壁によって支持される第１および第２の電力供給された接点であって、前記ベース壁から離間され、電気的に絶縁される、第１および第２の電力供給された接点と、
前記ベース壁から上に延在する第１および第２の壁であって、前記第１および第２の電力供給された接点が前記第１の壁と第２の壁との間にあるように位置付けられる、第１および第２の壁と、
前記第１の壁から前記第２の壁の方へと延在する、第１のリップと、
前記第２の壁から前記第１の壁の方へと延在する、第２のリップであって、前記第１および第２のリップは、相互の方へと延在する、第２のリップと、を備える、支持構造。
【請求項２】
前記ベース壁、第１および第２の壁、ならびに前記第１および第２のリップは、単一の構造である、請求項１に記載の支持構造。
【請求項３】
前記支持構造に載置されるように構成される第１および第２のヘッダを更に備える、請求項２に記載の支持構造。
【請求項４】
前記第１のヘッダは、前記ヘッダを前記支持構造に解除可能に結合するロックを含む、請求項３に記載の支持構造。
【請求項５】
システムであって、
ベース壁、第１の壁および第２の壁、ならびに該第２の壁の方へ開く溝を含む支持構造であって、前記溝は、前記第１の壁および該第１の壁から延在する第１のリップによって画定され、前記支持構造は、該支持構造の外部と連通しているチャネルを提供する、支持構造と、
前記ベース壁によって支持される第１および第２の電力供給された接点であって、前記ベース壁および相互から電気的に分離される、第１および第２の電力供給された接点と、
前記溝内に位置付けられる筐体を有するエネルギー消費デバイスであって、該エネルギー消費デバイスは、第１および第２の端子、ならびに該第１および第２の端子がそれぞれ前記第１および第２の電力供給された接点と電気接触するように、前記筐体を前記ベース壁の方へと付勢するように構成される磁石を含み、前記エネルギー消費デバイスは、前記チャネルを介して前記支持構造の外部と連通しており、前記筐体は、動作中に、前記エネルギー消費デバイスが前記溝に沿って並行移動されることを可能にしながら、前記支持構造から除去不可能であるように構成される、エネルギー消費デバイスと、を備える、システム。
【請求項６】
前記エネルギー消費デバイスは、ＬＥＤアレイおよび該ＬＥＤアレイに熱的に結合されるサーマルブリッジを含み、該サーマルブリッジは、該サーマルブリッジが、少なくとも３ＰＳＩを提供するのに十分な力で前記ベース壁に対して押し付けられるように、前記磁石を介して前記ベース壁に対して付勢される、請求項５に記載のシステム。
【請求項７】
前記ＬＥＤアレイと前記ベース壁との間の熱抵抗は、３Ｃ／Ｗ未満である、請求項６に記載のシステム。
【請求項８】
前記支持構造に結合される第１および第２のヘッダを更に備え、該第１および第２のヘッダは、前記溝に沿った前記エネルギー消費デバイスの並行移動を限定するように構成される、請求項５に記載のシステム。
【請求項９】
前記支持構造は、最上部支持構造および底部支持構造を備え、前記最上部および底部支持構造は、一緒に固定される、請求項５に記載のシステム。
【請求項１０】
前記最上部および底部構造を一緒に固定する少なくとも１つのロックを更に備える、請求項９に記載のシステム。
【請求項１１】
前記溝は、第１の溝であり、前記支持構造は、前記第１の溝に対面する第２の溝を更に提供し、該第２の溝は、前記第２の壁および該第２の壁から延在する第２のリップによって画定される、請求項５に記載のシステム。
【請求項１２】
前記ベース壁、第１および第２の壁、ならびに前記第１および第２のリップは、単一の構造である、請求項１１に記載のシステム。
【請求項１３】
前記支持構造に載置されるように構成される第１および第２のヘッダを更に備える、請求項１２に記載のシステム。
【請求項１４】
前記第１のヘッダは、該第１のヘッダを前記支持構造に解除可能に結合するロックを含む、請求項１３に記載のシステム。
【請求項１５】
前記エネルギー消費デバイスは、ＬＥＤアレイおよび該ＬＥＤアレイに熱的に結合されるサーマルブリッジを含み、該サーマルブリッジは、該サーマルブリッジが、少なくとも３ＰＳＩを提供するのに十分な力で前記ベース壁に対して押し付けられるように、前記磁石を介して前記ベース壁に対して付勢される、請求項１４に記載のシステム。
【請求項１６】
前記ＬＥＤアレイと前記ベース壁との間の熱抵抗は、３Ｃ／Ｗ未満である、請求項１５に記載のシステム。
【請求項１７】
前記ＬＥＤアレイと前記ベース壁との間の熱抵抗は、２Ｃ／Ｗ未満である、請求項１５に記載のシステム。
【発明の詳細な説明】
【技術分野】
【０００１】
関連出願
本出願は、２０１０年１２月１５日に出願された米国仮出願第６１／４２３，３９２号、２０１１年５月１２日に出願された米国仮出願第６１／４８５，４７０号、および２０１１年８月３日に出願された米国仮出願第６１／５１４，７４８号に対する優先権を主張し、それらの全ては、参照によりそれらの全体が本明細書に組み込まれる。
【０００２】
本発明は特に、エネルギー消費デバイスの分野に、より具体的には、一対の接点に固定することができるエネルギー消費デバイスに関する。
【背景技術】
【０００３】
既存の軌道式点灯（ｔｒａｃｋ  ｌｉｇｈｔｉｎｇ）システムは、特定の場所に電気を供給しながら、発光要素をその場所に位置付けるように構成される。かかるシステムの便益のうちの１つは、発光要素を、軌道に沿った幾つかの場所に位置付けることが可能なことであり、このようにして高レベルのカスタマイズを提供する。これらの既存のシステムは白熱光源と共によく機能する一方で、新たなより効率的なＬＥＤベースの光源は、ＬＥＤが高温で耐用年数の低減を受けやすいため、より多くの熱制御を要求する。加えて、慣習的な軌道式点灯システムは、白熱電球のサイズに起因して、より大きい傾向がある。結果として、簡便に設置できる様態で、熱的、電気的、および構造的懸念に対処することが可能であり、洗練された審美的設計を提供するシステムは、ある種の個人によって評価されるであろう。
【発明の概要】
【０００４】
支持構造は、溝およびチャネルを含む。エネルギー消費デバイスは、磁石ならびに第１および第２の端子を支持する、筐体を含む。発光ダイオードアレイを含み得る、エネルギー消費モジュールは、支持構造によって支持される。溝は、筐体を支持構造内に保持する一助となる一方で、チャネルは、エネルギー消費デバイスが可視となることを可能にする。磁石は、エネルギー消費デバイスを、電力供給された接点を支持する支持構造に固定するように構成される可能性がある。第１および第２の端子は、電力供給された接点に係合する。エネルギー消費デバイス上のサーマルブリッジは、エネルギー消費デバイスと支持構造との間の低い熱抵抗を提供するように、支持構造に対して押し付けられるように構成される可能性がある。エネルギー消費デバイスを固定する一助となるために、ヘッダが支持構造の両端に提供される可能性がある。
【０００５】
本開示は、例として例証され、添付の図において限定されず、ここで同種の参照番号は、同様の要素を示す。
【図面の簡単な説明】
【０００６】
【図１】エネルギー消費デバイス、つまりＬＥＤデバイス、および支持構造の実施形態の斜視図である。
【図２】エネルギー消費デバイスの斜視図である。
【図３】エネルギー消費デバイスの代替的な斜視図である。
【図４】エネルギー消費デバイスの分解斜視図である。
【図５】エネルギー消費デバイスの部分分解斜視図である。
【図６】エネルギー消費デバイスの代替的な分解斜視図である。
【図７】支持構造上に載置される電源モジュールの実施形態の斜視図である。
【図８】電源モジュールの斜視図である。
【図９】カバーが除去された電源モジュールの斜視図である。
【図１０】電源モジュールの構成要素の斜視図である。
【図１１】電源モジュールの構成要素の斜視図である。
【図１２】電源モジュールの構成要素の斜視図である。
【図１３】電源モジュールの構成要素の上面図である。
【図１４】電源モジュールおよび図１６〜１８に示されるジャンパーにおいて使用される、接点の斜視図である。
【図１５】電源モジュールの構成要素の斜視図である。
【図１６】ジャンパーの実施形態の斜視図である。
【図１７】ジャンパーの構成要素の斜視図である。
【図１８】ジャンパーの構成要素の斜視図である。
【図１９】レールおよびエネルギー消費デバイスの実施形態の立面側面図である。
【図２０】図１９に図示される実施形態の拡大図である。
【図２１】エネルギー消費デバイスおよび支持構造の実施形態の斜視図である。
【図２２】線２２−２２に沿ってとられた、図２１に図示される実施形態の断面の斜視図である。
【図２３】支持構造のエンドキャップの斜視図である。
【図２４】代替的な固定構造の略図である。
【図２５】エンドキャップが省略された、図２１に図示される実施形態の斜視図である。
【図２６】図２５に図示される実施形態の立面側面図である。
【図２７】支持構造およびエネルギー消費デバイスの代替的な実施形態の立面側面図である。
【図２８】支持構造内に位置付けられたエネルギー消費デバイスの略図である。
【図２９】図２８に図示される略図の拡大図である。
【発明を実施するための形態】
【０００７】
本発明は、異なる形態での実施形態の影響を受けやすい場合がある一方で、本開示が、本発明の原則の例示と見なされるべきであり、かつ本発明を、本明細書に例証および記載されるものに限定するようには意図されないという理解と共に、具体的な実施形態が図面において示され、本明細書で詳述されるであろう。したがって、別途注記のない限り、本明細書に開示される特色を一緒に組み合わせて、さもなければ簡潔さの目的で示されなかった更なる組み合わせを形成してもよい。
【０００８】
一般に、図示される実施形態は、低い電圧印加（１２〜２４ＶＡＣ／ＶＤＣ等）のために意図される。ある種の適用において、電圧は、ＤＣであろう（それは、ＤＣ電力を要求する多くのタイプの構成要素に電力供給することを単純にする）。しかしながら、１２ＶＡＣもまた、提供される可能性がある。かかるシナリオにおいて、個々のエネルギー消費デバイスは、それらがＤＣ電力を要求したとすれば、整流器および蓄電器等の電力変換構成要素を組み込む必要があるだろう。加えて、理解され得るであろうが、多数のエネルギー消費デバイスが、下で考察される様態で単一の軌道上に配置されてもよい。加えて、２つの軌道が、相互に隣接して配置されてもよく、第１および第２のジャンパーは、２つの軌道上で電力供給された接点を一緒に電気的に結合することができる。当然ながら、ジャンパーはまた、それが分離電力変換ユニット（電源等）に結合される場合、電力を軌道に提供することができる。
【０００９】
エネルギー消費アセンブリは、磁力によって支持構造２２上に支持される、エネルギー消費デバイス２０を含む。磁力によって結合されているように図示される、電源モジュール１２０もまた、提供することができるが、電源モジュールは、任意の所望の様式で支持構造に取り付けることができる。１つより多い支持構造２２が、エネルギー消費アセンブリにおいて使用されることが所望される場合、ジャンパー３２０もまた、磁力によって支持構造２２上に支持して、１つの支持構造２２を隣接した支持構造（図示されず）に接続することができる。エネルギー消費デバイス２０は、ＬＥＤデバイスであってもよい。理解され得るであろうが、エネルギー消費デバイス２０は、位置付けおよび設置が単純であり、支持構造２２に沿って周囲を移動するため、図示される実施形態は、軌道式ライト適用における使用に好適である。エネルギー消費デバイス２０および支持構造２２は、例えば、限定されないが、キャビネット点灯下で、車両において、および植物のため等の、幾つかの適用において使用することができる。図示される実施形態はまた、より一般の照明等の多くの他の適用における使用に好適であり、柔軟性が望ましい場合の適用に特に適していると考えられる。
【００１０】
支持構造２２は、一直線（示されるように）、曲線、波状、階段状等の幾つかの形状をとってもよい。示されるように、支持構造２２は、レール２４から形成され、それは図面において細長いように示され、その長さに沿って延在する、一対の離間された細長い電力供給された接点２６、２８を有する。支持構造２２は、壁、天井、キャビネット等の支持面上に、簡便に載置することができる。しかしながら、支持面は、任意の望ましい形状であり得、更にはソケット様形状であるように構成されるか、または単一のエネルギー消費者向けデバイス（ｅｎｅｒｇｙ  ｃｏｎｓｕｍｅｒ  ｄｅｖｉｃｅ）がその上に載置されることを可能にした何らかの他の構成であり得ることに留意すべきである。更に、支持面は、所望される場合、筐体内で陥凹させられる可能性がある（レールによって提供されるヒートシンク便益が、他の構造によって提供される必要があり得ることが理解される）。
【００１１】
示されるように、レール２４は、ベース壁３０（それは平面であるように図示される）、およびベース壁３０の反対側の縁から垂直に延在する側壁３２、３４から形成される。複数個のフィン３６が、側壁３２、３４から外方向に延在する。レール２４は、熱伝導性であり、また導電性であってもよく、導電性である場合、一対の細長い電力供給された接点２６、２８は、レール２４上に提供される非導電性両面テープ、塗料、または陽極処理等の好適な絶縁体３７を介して、レール２４から電気的に分離される。レール２４は、プレートされた（例えば、ニッケルおよびすずでプレートされた）押出しプラスチックによって形成されてもよく、金属から完全に形成されてもよく、またはプラスチックおよび金属片のハイブリッド結合であり得る。側壁３２、３４は、ベース壁３０に垂直であるように示されるが、ある種の実施形態では、側壁３２、３４は、排除され得るか、またはベース壁３０に対して他の角度で角度を付けられ得ることが理解される。
【００１２】
エネルギー消費デバイス２０は、ベース壁３０上、および電力供給された接点２６、２８上に定着する。レール２４は、本明細書に記載されるエネルギー消費デバイス２０のためのヒートシンクとして作用することができる。
【００１３】
エネルギー消費デバイス２０は、誘電材料から形成されてもよい筐体３８、筐体３８によって支持されるエネルギー消費モジュール４０、筐体３８によって支持される一対の磁石４２ａ、４２ｂ、および筐体３８によって支持される一対の端子６２ａ、６２ｂを含む。エネルギー消費モジュール４０は、照明が所望される場合、ＬＥＤアレイ（それは所望のパターンで提供される１つ以上のＬＥＤであり得る）を含む可能性があるが、また、限定なしに、無線ラジオ、カメラ、センサ等の他のエネルギー消費デバイスでもあり得、エネルギー消費デバイスはまた、所望に応じて、スピーカーまたは画像投影機等の適切な要素の組み込みを通じて、画像または音を投影してもよい。装飾的であってもよい、カバー４６は、筐体３８上に位置付けられ、エネルギー消費モジュール４０および磁石４２ａ、４２ｂをカバーする。当該技術分野で周知であるが、レンズまたは他のライト形の要素４８が提供されてもよく、ライトをエネルギー消費モジュール４０から導くために、筐体３８によっておよび／またはカバー４６によって支持され得る（ＬＥＤアレイとして構成される場合）。
【００１４】
筐体３８は、多様な形状、例えば、図１に示されるような円形、図２に示されるような長方形、正方形、三角形、楕円形状等をとってもよい。筐体３８は、内面および外面５２、５４を有するベース５０、ベース５０を通じた開口部５６、ベース５０の各末端で提供され、中央開口部５６から離間される磁石マウント５８ａ、５８ｂ、ならびに第１および第２の端子開口部６０ａ、６０ｂとそれらの関連する端子６２ａ、６２ｂとを含む。双対磁石マウントが図示される一方で、一実施形態では、筐体は、単一の磁石マウントが提供されたように、代替的な方法で構成可能であることに留意すべきである。例えば、限定なしに、筐体の一端は、支持構造によって提供されるリップを介して保持可能であり、すると単一の磁石マウントおよび関連する磁石は、筐体を定置に固定するのに十分であろう。代替的に、磁石マウントは、力が２つの端子（および含まれる場合、サーマルブリッジ）に均等に分配されたように、筐体上の中央位置に位置することが可能である。エネルギー消費モジュール４０の一部分は、ベース５０を通じた開口部５６を通じて延在する。
【００１５】
磁石４２ａは、磁石マウント５８ａ内に定着し、磁石４２ｂは、磁石マウント５８ｂ内に定着する。示されるように、磁石４２ａ、４２ｂは、製造が簡便な構成要素を有益に提供するように、断面が長方形であるが、多数の磁石形状が知られるため、磁石４２ａ、４２ｂについての他の形状もまた、企図される。各磁石マウント５８ａ、５８ｂは、内表面５２から延在する陥凹として形成される。各磁石マウント５８ａ、５８ｂは、内表面５２から延在する側壁６４および界面壁６６を有する。各磁石マウント５８ａ、５８ｂは、好ましくは、磁石４２ａ、４２ｂの形状に適合し、磁石４２ａ、４２は、示されるように筐体３８の内表面５２から延在してもよく、または筐体３８の内表面５２と同一平面上にあってもよい。
【００１６】
カバー４６は、エネルギー消費モジュール４０および任意の光学部品４８を収容するために、多様な形状をとることができる。例えば、限定されないが、カバー４６は、完全に平面であり得、カバー４６は、光学部品を収容するための隆起した中央部分を有しながら実質的に平面であり得、カバーは、凹状または凸状であり得る。図示されるカバー４６は、内面７０および外面７２を有するカバー壁６８、レンズまたは他のライト形の要素４８が中に載置されるカバー壁６８の中央を通じた開口部、カバー壁６８の各末端で提供され、中央開口部から離間される磁石マウント７４ａ、７４ｂ、ならびにカバー壁６８の縁から延在する側壁７５ａ、７５ｂ、７５ｃ、７５ｄを含む。
【００１７】
カバー４６が筐体３８上に定着されるとき、磁石４２ａは、磁石マウント７４ａ内に保持され、磁石４２ｂは、磁石マウント７４ｂ内に保持され、側壁７５ａ、７５ｂ、７５ｃ、７５ｄは、筐体３８の縁と噛合する。各磁石マウント７４ａ、７４ｂは、内表面７０から延在する側壁７６を有し、内表面７０が陥凹のベース壁を形成する。側壁７５ｂ、７５ｄの一部分は、それぞれの磁石マウント７４ａ、７４ｂの一部を形成する。理解され得るであろうが、カバー４６の壁７５ｂ、７５ｂが、磁石マウント５８ａ、５８ｂの一部として示される一方で、別個の壁をカバー４６上に提供して、磁石マウント５８ａ、５８ｂの残りの部分を形成することができる。各磁石マウント７４ａ、７４ｂは、好ましくは、磁石４２ａ、４２ｂの形状に適合する。したがって、理解され得るであろうが、磁石４２ａ、４２ｂは、内表面７０と界面壁６６との間に挟まれ、このようにしてそれらは定置に保有される。更なる制約は、壁７６、７５ｂ、７５ｄによって提供されるが、任意の望ましい制限様態が適切であろう。例えば、磁石は、接着剤または他の締結システムを用いて取り付けることが可能である。筐体とカバーとの間に磁石を保持する便益は、製造費用が回避され得ることである。
【００１８】
示されるように、エネルギー消費モジュール４０は、ＬＥＤアレイが上に定着するプレート７８を含む、ソリッドステートの点灯要素として構成され、それはカバー８０によって保護される。プレート７８は、ＬＥＤアレイが上に配置される絶縁層でカバーされたアルミニウム等の、熱伝導材料であり得る。代替的に、エネルギー消費モジュール４０が、熱劣化に対して感受性が低い場合、プレート７８は、回路基板または何らかの他の複合構造であり得る。サーマルブリッジ８２（それは、限定なしに、サーマルパッドまたはサーマルペーストであり得る）が、エネルギー消費モジュール４０の外面上（例えば、プレート７８の下面上）に提供される可能性がある。サーマルブリッジ８２は、例えば、３Ｍの熱伝導性接着剤転写テープ８８１０等の、熱伝導性接着ガスケットであり得る。図示されるように、サーマルブリッジ８２は、プレート７８をベース壁３０に結合する。図示される実施形態では、プレート７８が、プレート７８とＬＥＤアレイとの間に低い熱抵抗を有するように構成され（好ましくは、プレートは、５０ワット／メートル−ケルビン（Ｗ／（ｍ  Ｋ）を超える熱伝導率を有するであろう）、より好ましくは、１００Ｗ／（ｍ  Ｋ）を超える熱伝導率を有することになり、またサーマルブリッジ８２がプレート７８をベース壁３０に効率的に結合するため、ＬＥＤアレイとベース壁３０との間の総計の熱抵抗は、３Ｃ／Ｗ未満であり得、好ましくは２Ｃ／Ｗ未満である。加えて、サーマルブリッジが薄型に保たれ、比較的高い熱伝導率を有する材料が選択される場合、１Ｃ／Ｗ未満を有することが可能である。かかる設計は、例えば、好適なサーマルブリッジおよび磁石によって適用される十分な力と組み合わせたＢＲＩＤＧＥＬＵＸ  ＬＥＤアレイを用いて可能である。したがって、理解され得るであろうが、図示される設計は一般に、非常に効率的な熱転写設計を有する磁気的に支持されるエネルギー消費デバイス２０を可能にし、また図示されるように、３Ｃ／Ｗ未満、好ましくは２Ｃ／Ｗ未満、および可能性として１Ｃ／Ｗ未満の熱抵抗を有する非常に小型の界面を提供しながら、５００ルーメン超を生み出す照明デバイスを可能にする。プレート７８は、プレート７８が一般に、筐体３８の最底部の外表面と同一平面上にあるように、中央開口部５６を囲む陥凹８３内に定着する。
【００１９】
端子開口部６０ａは、磁石マウント５８ａに近接しているが、そこから離間され、端子開口部６０ｂは、磁石マウント５８ｂに近接しているが、そこから離間される。端子開口部６０ａは、ベース５０の一方の縁に隣接している一方で、端子開口部６０ａは、ベース５０の反対側の縁に隣接している。各端子開口部６０ａ、６０ｂは、ベース５０を通じて、内表面５２から外表面５４へと延在する。
【００２０】
各端子６２ａ、６２ｂは、導電材料から形成され、第１、第２、および第３の部分８４、８６、８８を有する。各端子６２ａ、６２ｂの第１の部分８４は、それぞれの端子開口部６０ａ、６０ｂに近接したベース５０の内表面５２上に定着し、それに噛合させられる。第２の部分８６は、それぞれの第１の部分８４から延在し、それぞれの第１の部分８４に対して角度を付けられる。各第２の部分８６は、それぞれの端子開口部６０ａ、６０ｂを通じて延在する。第３の部分８８は、それぞれの第２の部分８６から延在し、電力接点に係合するように構成される。各第３の部分８８は曲線状であり、外表面５４から外方向に延在する。第２および第３の部分８６、８８は、第３の部分が、屈曲の距離の範囲にわたって電力接点に好適に係合することができるように、第１の部分８４に対して屈曲することができる。実施形態において、第２および第３の部分８６、８８は、屈曲範囲のための少なくとも０．４ｍｍ公差を有する。端子６２ａ、６２ｂは、ＬＥＤアレイの陽極または陰極等のエネルギー消費モジュール４０に、ベース５０への載置を通じて（例えば、はんだ）、および筐体３８上または筐体３８内に提供される配線８９を介して、電気的に結合される。実施形態において、カバーおよびベースは、端子の第２および第３の部分の周囲にポケットが形成されるように構成される可能性がある。かかる実施形態では、開口部を通じて進入する水または粉じんは、筐体およびカバーがそれらの間に封止されたビームを形成するという事実によって、アセンブリの中へと更に進むことを阻止される。一実施形態では、これは、筐体とカバーとの間の公差を綿密に管理することによって遂行することができる。別の実施形態では、封止は、ガスケットを使用して提供することができる。端子がカバーと筐体との間に挟まれるように、カバーをベースに押し付けることの１つの利点は、力が、端子の第１の部分を定置に固定するための更なる支持を提供し、それにより第１の部分に対して加えられるいずれの応力も、エネルギー消費ベースと端子との間の継手に害を及ぼす可能性が低くなるということである。
【００２１】
エネルギー消費デバイス２０は、磁石４２ａ、４２ｂが、電力供給された接点２６、２８の間にあり、レール２４のベース壁３０に近接するように、支持構造２２上に配置される。磁石４２ａ、４２ｂとレール２４との間の磁気引力は、エネルギー消費デバイス２０をレール２４に固定する力を提供する。界面壁６６は、磁力を妨げないように十分に薄い。所望される場合、開口部は、磁石が界面壁を通じて部分的に延在することを可能にするために、各界面壁６６を通じて提供することができる。しかしながら、一般に、界面壁は、かかる開口部が要求されないように構成される可能性がある。サーマルブリッジ８２は、電力供給された接点２６、２８の間のベース壁３０上に位置付けられ、プレート７８とベース壁３０との間のいずれの空間も埋める。これは、プレート７８とベース壁３０との間の低い熱抵抗を確保する。デバイス２０の寸法に応じて、空隙が磁力に悪影響を及ぼさない限り、界面壁６６とレール２４との間に空隙が提供されてもよい。
【００２２】
端子６２ａは、電力供給された接点２６と噛合し、端子６２ｂは、電力供給された接点２８と噛合する。第２および第３の部分８６、８８は、端子６２ａ、６２ｂを電力供給された接点２６、２８と係合させると、第１の部分８４に対してそれらの公差内で屈曲することができる。これは、端子６２ａ、６２ｂと電力供給された接点２６、２８との間の良好な電気接触を確保する。
【００２３】
動作中に、電力は、電力供給された接点２６、２８を通じ、端子６２ａ、６２ｂを通じて、配線に沿って、エネルギー消費モジュール４０へと貫流する。エネルギー消費モジュール４０は、典型的に除去されなければならない（さもなければエネルギー消費デバイスの寿命は低減されるであろう）熱を発生する。エネルギー消費モジュール４０によって発生する熱は、サーマルブリッジ８２を通じてベース壁３０へと伝達する。レール２４は、ヒートシンクとして作用する。フィン３６は要求されないが、放熱のための更なる表面積を提供する機能を果たす。当然ながら、レール（および任意のフィン）は、適切な装飾的設計を提供する任意の所望の形状であり得る。
【００２４】
エネルギー消費デバイス２０は、ユーザが、磁力を克服するようにエネルギー消費デバイス２０を支持構造２２から引き離すことによって、支持構造２２上で周囲を容易に移動させられ得る。エネルギー消費デバイス２０は次いで、支持構造２２上に簡便に再位置決めされる。
【００２５】
サーマルブリッジ８２がエネルギー消費デバイス２０上に提供される場合、エネルギー消費デバイス２０と支持構造２２との間の確実な熱接続（ｔｈｅｒｍａｌ  ｃｏｎｎｅｃｔｉｏｎ）を確保するのに十分な力が所望される。磁石４２ａ、４２ｂは、設置中にエネルギー消費デバイス２０を並行移動（例えば、回転または摺動）する必要性を回避しながら（それは、サーマルブリッジ８２が柔軟である、接着性質を有する、またはかかる並行移動中に変形し得る場合に、有利であり得る）、かかる力を提供する。図示される実施形態では、磁石４２ａ、４２ｂとレール２４の間の引力によって提供される、最低３ｐｓｉ（０．０２１ＭＰａ）、好ましくは５ｐｓｉ（０．０３４ＭＰａ）、より好ましくは１０ｐｓｉ（０．０６９ＭＰａ）の圧力が、確実な熱接続を提供するのに有益である。有益である力のレベルは、しかしながら、エネルギー消費デバイス２０の質量、除去される必要がある熱エネルギーの量、およびエネルギー消費デバイスが取り付けられるヒートシンクの効率に依存するであろう。
【００２６】
図７〜１５に示されるように、電源モジュール１２０は、平面のベース壁３０上および電力供給された接点２６、２８上に定着する。電源モジュール１２０は、下部誘電筐体１３８、上部誘電筐体１３９、下部筐体１３８によって支持され、上部筐体１３９を通じて延在する電源１４０、下部筐体１３８と上部筐体１３９との間に支持される一対の磁石１４２ａ、１４２ｂ、ならびに筐体１３８によって支持される一対の端子１６２ａ、１６２ｂを含む。誘電カバー１４６は、筐体１３８、１３９上に位置付けられ、電源１４０、磁石１４２ａ、１４２ｂ、および一対の端子１６２ａ、１６２ｂをカバーする。
【００２７】
上部筐体１３８は、内面および外面１５２、１５４を有する一般に平面のベース壁１５０、ベース壁１５０の反対側面上に提供される磁石マウント１５８ａ、１５８ｂ、ならびに第１および第２の端子開口部１６０ａ、１６０ｂとそれらの関連する端子１６２ａ、１６２ｂとを含む。電源１４０は、ベース５０における陥凹１５６内に定着する。
【００２８】
磁石１４２ａは、磁石マウント１５８ａ内に定着し、磁石１４２ｂは、磁石マウント１５８ｂ内に定着する。示されるように、磁石１４２ａ、１４２ｂは、好ましくは、簡便に製造される目的で断面が長方形であるが、磁石１４２ａ、１４２ｂについての他の形状もまた企図され、別途注記のない限り、形状は、限定的であるようには意図されない。各磁石マウント１５８ａ、１５８ｂは、内表面１５２から延在する陥凹として形成される。各磁石マウント１５８ａ、１５８ｂは、内表面１５２から延在する側壁１６４および平面のベース壁１６６を有する。各磁石マウント１５８ａ、１５８ｂは、好ましくは、磁石１４２ａ、１４２ｂの形状に適合し、磁石１４２ａ、１４２は、示されるように下部筐体１３８の内表面１５２から延在してもよく、または下部筐体１３８の内表面１５２と同一平面上にあってもよい。
【００２９】
端子開口部１６０ａは、磁石マウント１５８ａに近接しているが、そこから離間され、端子開口部１６０ｂは、磁石マウント１５８ｂに近接しているが、そこから離間される。端子開口部１６０ａは、ベース壁１５０の一方の側縁に隣接している一方で、端子開口部１６０ａは、ベース壁１５０の反対側の側縁に隣接している。各端子開口部１６０ａ、１６０ｂは、ベース壁１５０を通じて、内表面１５２から外表面１５４へと延在する。
【００３０】
図１４から理解され得るであろうが、各端子１６２ａ、１６２ｂは、導電材料から形成され、平面のベース１８４、ベース１８４から延在する第１、第２、および第３の部分１８６、１８８、１９０、ならびに一対のワイヤートラップ１９２、１９４を有する。各端子１６２ａ、１６２ｂのベース１８４は、それぞれの端子開口部１６０ａ、１６０ｂに近接したベース壁１５０の内表面１５２における陥凹１９６ａ、１９６ｂ内に定着する。第１の部分１８６は、ベース１８４から垂直に延在する。第２の部分１８６は、それぞれの第１の部分１８６から延在し、それぞれの第１の部分１８６に対して角度を付けられる。第３の部分１９０は、それぞれの第２の部分１８８から延在し、一般にそれぞれの第１の部分１８６に垂直である。各第３の部分１９０は曲線状であり、それぞれの端子開口部１６０ａ、１６０ｂを通じて延在する。第３の部分１９０は、外表面１５４から外方向に延在する。第２および第３の部分１８８、１９０は、第１の部分１８６に対して屈曲することができる。好ましくは、第２および第３の部分１８８、１９０は、下でより詳細に考察されるように、屈曲のために少なくとも０．４ｍｍ公差を有する。ワイヤートラップ１９２、１９４は、ワイヤーまたは刃（図示されず）に接続される。端子１６２ａ、１６２ｂは、下部筐体１３８上または下部筐体１３８内に提供される配線を介して、電源１４０に電気的に結合される。代替的に、端子は、絶縁導体（例えば、絶縁ワイヤー）を介して、電源に結合可能である。
【００３１】
上部筐体１３９は、下部筐体１３８上に定着し、磁石１４２ａ、１４２ｂおよび端子１６２ａ、１６２ｂをカバーする。上部筐体１３９は、開口部１９９を含む可能性があり、それを通じて、電源１４０がそれを通過することを可能にする。上部筐体１３９が下部筐体１３８上に定着されるとき、磁石１４２ａ、１４２ｂは、下部筐体１３８と上部筐体１３９との間に挟まれる。カバー１４６は、下部筐体および上部筐体１３８、１３９をカバーし、それに好適に取り付けられる。
【００３２】
電源モジュール１２０は、磁石１４２ａ、１４２ｂが、レール２４の電力供給された接点２６、２８にわたって定着するように、支持構造２２上に配置される。磁石１４２ａ、１４２ｂとレール２４との間の磁気引力は、電源モジュール１２０をレール２４に固定する力を提供する。ベース壁１６６は、磁力を妨げないように十分に薄い。端子１６２ａは、電力供給された接点２６と噛合し、端子１６２ｂは、電力供給された接点２８と噛合する。第２および第３の部分１８８、１９０は、端子１６２ａ、１６２ｂが電力供給された接点２６、２８と係合すると、第１の部分１８６に対してそれらの公差内で屈曲することができる。これは、端子１６２ａ、１６２ｂと電力供給された接点２６、２８との間の良好な電気接触を確保する。理解され得るであろうが、動作中に、電流は、電源１４０から、接点１６２ａ、１６２ｂに接続されるワイヤーまたは配線に沿って、接点１６２ａ、１６２ｂを通じて電力供給された接点２６、２８へと、次いでエネルギー消費デバイス２０へと流れる。
【００３３】
上述のように、端子は、範囲を通じて屈曲することができ、図示されるように、確実な電気接触を依然として提供しながら、約１ｍｍの範囲を通じて屈曲することができる。ある種の適用についてより低い公差が好適である一方で、支持構造（ベース壁３０等）によって提供される支持面の間で良好な熱接点が作り出されることを確実にするために、０．５ｍｍを超える、および好ましくは０．８ｍｍを超える公差が有益であることが決定されている。これは、圧縮性のサーマルブリッジが使用されるとき、端子が電力供給された接点に係合することを確実にすることが有益であるが、一旦良好な電気接続が作り出されると、サーマルブリッジによって提供される熱界面が好ましくは良好に管理されることを確実にすることに、焦点が移り得るためである。これは、サーマルブリッジの幾らかの範囲の圧縮を有することを伴ってもよい。良好な電気接触を依然として提供しながら、開示される範囲の端子屈曲を可能にすることによって、熱抵抗が低く保たれることを依然として確実にしながら（それは長寿命を提供することが意図されるデバイスのために有益である）、種々の公差を管理する試みは、はるかに解決容易となる。これは、より少ない圧縮性を提示しながら、より高い熱伝導率を提供することができるサーマルブリッジを可能にする。
【００３４】
電源モジュール１２０は、ユーザが、磁力を克服するように電源モジュール１２０を支持構造２２から引き離すことによって、支持構造２２上で周囲を簡便に移動させられ得る。電源モジュール１２０は次いで、支持構造２２上に簡便に再位置決めされる。代替的に、下部筐体１３８およびカバー１４６は、耳２００、２０２を含む可能性があり、それを通じて締結具（図示されず）を提供して、電源モジュール１２０をレール２４に固定して取り付けることができる。図示されるもの等の外耳を使用して、電源モジュール１２０を支持構造に固定することができ、すると磁石は省略され得る。
【００３５】
磁石１４２ａ、１４２ｂは、電力供給された接点２６、２８にわたって定着しているように示されるが、磁石１４２ａ、１４２ｂは、磁石１４２ａ、１４２ｂが電力供給された接点２６、２８の間のレール２４にわたって定着するように、下部筐体１３８上に提供され得ることが理解される。しかしながら、レールがフェライトベースの材料でなく、電力供給された接点がフェライトベースである場合の適用については、磁石を電力供給された接点にわたって位置付けることが有益である。
【００３６】
ジャンパー３２０は、図１４および１６〜１８に示される。ジャンパー３２０は、１つの支持構造２２を別の支持構造（図示されず）に接続するための手段を提供する。ジャンパー３２０は、ベース壁３０上および電力供給された接点２６、２８上に定着する。ジャンパー３２０は、誘電筐体３３８、筐体３３８内に支持される一対の磁石３４２ａ、３４２ｂ、一対の端子３６２ａ、３６２ｂ、ならびに筐体３３８に取り付けられ、磁石３４２ａ、３４２ｂおよび端子３６２ａ、３６２ｂをカバーする誘電カバー３４６を含む。筐体３３８は、平面の形状であってもよく、内面および外面３５２、３５４を有するベース壁３５０、ベース壁３５０の反対側面上に提供される磁石マウント３５８ａ、３５８ｂ、ならびに第１および第２の端子開口部３６０ａ、３６０ｂとそれらの関連する端子３６２ａ、３６２ｂとを含む。
【００３７】
図示されるように、磁石３４２ａは、磁石マウント３５８ａ内に定着し、磁石３４２ｂは、磁石マウント３５８ｂ内に定着する。示されるように、磁石３４２ａ、３４２ｂは、簡便に製造される目的で断面が長方形であり得るが、磁石３４２ａ、３４２ｂについての他の形状もまた好適である。各磁石マウント３５８ａ、３５８ｂは、内表面３５２から延在する陥凹として形成される。各磁石マウント３５８ａ、３５８ｂは、内表面３５２から延在する側壁３６４および平面ベース壁３６６を有する。各磁石マウント３５８ａ、３５８ｂは、好ましくは、磁石３４２ａ、３４２ｂの形状に適合し、磁石３４２ａ、３４２は、筐体３３８の内表面３５２から延在してもよく、または筐体３３８の内表面３５２と同一平面上にあってもよい。
【００３８】
端子開口部３６０ａは、磁石マウント３５８ａに近接しているが、そこから離間され、端子開口部３６０ｂは、磁石マウント３５８ｂに近接しているが、そこから離間される。端子開口部３６０ａは、ベース壁３５０の一方の側縁に隣接している一方で、端子開口部３６０ａは、ベース壁３５０の反対側の側縁に隣接している。各端子開口部３６０ａ、３６０ｂは、ベース壁３５０を通じて、内表面３５２から外表面３５４へと延在する。
【００３９】
端子３６２ａ、３６２ｂは、図１４に示されるものと構造において同一であり得、したがって細目は、本明細書で反復されない。各端子３６２ａ、３６２ｂのベース３８４は、それぞれの端子開口部３６０ａ、３６０ｂに近接した、ベース壁３５０の内表面３５２における陥凹３９６ａ、３９６ｂ内に定着する。各第３の部分３９０は、それぞれの端子開口部３６０ａ、３６０ｂを通じて延在し、外表面３５４から外方向に延在する。ワイヤートラップ３９２、３９４は、隣接するエネルギー消費デバイス２０から延在する電源モジュール１２０またはワイヤー／刃に接続するために、ワイヤーまたは刃（図示されず）に接続される。
【００４０】
カバー３４６は、筐体３３８上に定着し、それに好適に取り付けられる。カバー３４６は、磁石３４２ａ、３４２ｂおよび端子３６２ａ、３６２ｂをカバーする。カバー３４６が筐体３３８上に定着されるとき、磁石３４２ａ、３４２ｂは、カバー３４６と筐体３３８との間に挟まれる。
【００４１】
ジャンパー３２０は、磁石３４２ａ、３４２ｂがレール２４の電力供給された接点２６、２８上に定着するように、支持構造２２上に配置される。磁石３４２ａ、３４２ｂとレール２４との間の磁気引力は、ジャンパー３２０をレール２４に固定する力を提供する。ベース壁３６６は、磁力を妨げないように十分に薄い。端子３６２ａは、電力供給された接点２６と噛合し、端子３６２ｂは、電力供給された接点２８と噛合する。端子３６２ａ、３６２ｂは、端子３６２ａ、３６２ｂが電力供給された接点２６、２８と係合すると、それらの公差内で屈曲することができる。これは、端子３６２ａ、３６２ｂと電力供給された接点２６、２８との間の良好な電気接触を確保する。実際面では、２つのジャンパー３２０を使用して、２つの隣接したレール２４に電力供給することができる。動作中に、電流は、電源１４０から、端子１６２ａ、１６２ｂへと、第１レールの電力接点２６、２８に沿って、第１のジャンパー３２０の端子３６２ａ、３６２ｂを通じて、ワイヤートラップ１９２／３９２、１９４／３９４の間で接続されたワイヤーまたは刃に沿って、第２のジャンパーの端子３６２ａ、３６２ｂを通じて、第２のレール２４の電力供給された接点２６、２８へと（次いで第２のレール上に載置される任意のエネルギー消費デバイスへと）流れる。
【００４２】
ジャンパー３２０は、ユーザが、磁力を克服するようジャンパー３２０を支持構造２２から引き離すことによって、支持構造２２から、簡便に取り付けられ、取り外され得る。磁石３４２ａ、３４２ｂは、電力供給された接点２６、２８にわたって位置付けられているように示されるが、磁石３４２ａ、３４２ｂが、レール２４のベース壁３０（例えば、電力供給された接点２６、２８の間）にわたって位置付けられるように、磁石３４２ａ、３４２ｂを下部筐体３３８上に提供できることが理解される。
【００４３】
理解され得るであろうが、エネルギー消費デバイス２０、電源モジュール１２０、ジャンパー３２０、および支持構造２２は、目立たないシステムを提供するように構成される。これは、空間が浅い場合等の、多くの状況で有益である。その点で、平坦なベース壁と、電力接点がベース壁から延在する距離の少なくとも２倍を超えてベース壁から離れて延在する、フィンとを有することは、小さい、比較的小型のエネルギー消費デバイスと共に、開示される実施形態で望ましく、かつ実現可能であると決定された、簡潔で、洗練された装飾的外見を提供する。外見は、フィンが、ベース壁の上に、電力接点よりも２倍を超えて高く延在する場合により望ましくなり得、フィンが、電力接点よりも４倍を超えて高く延在する場合がより好ましい。加えて、エネルギー消費デバイスの最上部は、電力接点の間のベースをサーマルブリッジと係合させながら、電力接点の高さの少なくとも５倍だけ延在し得る。例えば、電力接点がベース壁の上に約０．６ｍｍだけ延在する場合、エネルギー消費デバイスの最上部は、ベース壁の上で６．０ｍｍ〜１０ｍｍの間であり得る（例えば、有益な審美的外観を提供するように、高さの５倍より大きいが、高さの２０倍未満である）。
【００４４】
例えば、図１９および２０を見ると、レール２４’に載置されたエネルギー消費デバイス２０を含むシステム１０’が開示される。理解され得るであろうが、エネルギー消費デバイス２０’は、設置されるとき、ベース壁３０’の上に高さＤ１だけ延在し、レール２４’は、ベース壁３０’の上に距離Ｄ２だけ延在するフィン３４’を有する。ある種の実施形態では、Ｄ２は、Ｄ１の１／２を超えるところにあり、図示されるように、Ｄ２は、Ｄ１を超える。
【００４５】
理解され得るであろうが、筐体３８’の界面壁６６’は、プレート７８’が、サーマルブリッジ８２’をプレート７８’とベース壁３０’との間で圧縮したように、電力供給された接点２８’上に位置付けられる。更に、電力接点がベース壁３０の上に延在する距離は、魅力的な、洗練された外見のために、距離Ｄ２が、距離Ｄ３の少なくとも３倍であり、好ましくはＤ２が、Ｄ３の１０倍を超えるように、短く保たれる可能性がある。設計の外観は、アセンブリが可視である場所において、特に、結果的な実施形態の外観が、設計を目にする者の行動に影響を及ぼす可能性のある商業的背景において、重要であり得る。
【００４６】
図２１は、図１に図示される支持構造２２２と同様に機能する支持構造２２２の実施形態を例証する。理解され得るように、しかしながら、支持構造２２２は、上述のＬＥＤアセンブリであり得る、エネルギー消費デバイス２２０を固定支持するように構成される。具体的には、チャネル２４１が支持構造の外部と連通しているため、エネルギー消費デバイス２２０が受容されることを可能にするチャネル２４１が提供される。図示されるように、チャネル２４１は、リップ２３３を支持する壁２３５によって形成され、リップ２３３は、支持構造２２２と一体である。しかしながら、図２４、３０、および３１から理解され得るように、分離可能な界面もまた企図される。例えば、最上部支持構造２２２ｂは、２つのヘッダ２９０およびヘッダ２９０の間に延在する脚を含むことになり、各脚が外側の縁２９６および内側の縁２９５を有し、この２つの内側の縁２９５がチャネル２４１を形成する。ヘッダの間の距離が十分に大きい場合、任意の結合器２９７を一方または両方の脚に追加して、最上部支持構造２２２ｂを下層支持構造に固定し、脚が所望の位置に保有されることを確実にすることができる。加えて、最上部支持構造２２２ｂは、最上部支持構造３２２ｂが、チャネル３４１を提供するように底部支持構造３２２ａに載置している、図３０に図示されるもの等の、よりＵ字形である脚を提供する可能性があることに留意すべきである。代替的に、最上部支持構造４２２ｂは、平面である可能性があり、チャネル４４１を提供するように底部支持構造４２２ａに載置するであろう。１ピース設計の便益は、支持構造が単純な様態で提供され得ることである。２ピース設計の便益は、プレス加工プロセスにおいて種々のピースが形成可能であることである。
【００４７】
支持構造が、ヘッダと共に１ピースで、または２ピース設計で提供されるかどうかに関わらず（例えば、ヘッダが最上部または底部構造にはめ込まれた、最上部および底部支持構造）、種々の構成要素を一緒に固定するためのロッキング機構を有する（慣習的な締結具の代わりにまたはそれに加えて）ことが望ましい場合がある。例えば、ロック２９２またはロック２９３が提供されてもよい。ロックは、慣習の鍵ベースのロックであり得るか、またはヘッダを支持構造２２２から分離するために、特別なツールを要求する可能性がある。加えて、ヘッダはまた、図１８に図示される実施形態によって接点が支持される様態と同様の様態で、端子を支持する可能性があることに留意すべきである（例えば、ヘッダは、ヘッダが設置されるとき、電力供給された接点に係合する端子を支持する可能性があり、端子は、端子が電源に接続されることを可能にするワイヤートラップを有する可能性がある）。当然ながら、ヘッダは、所望に応じて更なる機能性を含む可能性があるが、機能性を追加することは、ヘッダがより大きくなる原因となることが理解される。
【００４８】
実際面では、支持構造（それは所望の機能性および特色に応じて所望の様態で形成され得る）は、溝２２５（典型的に２つの対向する溝であるが、溝２２５が十分に深い場合は一方のみが要求される）を提供し、それは、エネルギー消費デバイスの筐体が、溝から除去されるのに十分に回転または角度を付けられ得ないという事実に起因して、エネルギー消費デバイスが除去されることを可能にすることなく、対向する壁の方へ開き、エネルギー消費デバイスが支持構造２２２のベース壁２２３（このベース壁２２３はまた電力供給された接点２２８も支持する）に沿って並行移動させられることを可能にする。図２６および２７から理解され得るように、例えば、エネルギー消費デバイス２２０は、エネルギー消費デバイス２２０が支持構造２２２から除去されるのを防止するために表面Ｂに係合する表面Ａを含む、筐体２２０ａを有する。エネルギー消費デバイスが何らかの方法で操作され、次いで除去され得ないことを確実にする一助とするために、エネルギー消費デバイスの表面Ｃを、支持構造２２２の表面Ｄの十分に近くに配置して、表面Ｂがエネルギー消費デバイス２２０の除去を防止することを確実にすることができる。表面ＡとＢとの間の距離は、支持構造に沿ったエネルギー消費デバイスの並行移動を可能にするように調整することができる。
【００４９】
図２８および２９に概略的に図示されるもの等の、２つの溝を提供するシステムにおいて、表面Ａは、デバイスが、電力供給された接点２２８から除去されるよう試みられたとすれば、表面ＢおよびＢ’に係合する一方で、表面ＣおよびＣ’は、それぞれ、表面ＤおよびＤ’に係合する可能性がある。図２９から理解され得るように、したがって、エネルギー消費モジュールと支持構造との間の平均距離であり得る距離３０１は、動作中に、角２９８が縁２９９を通過することが可能でないように構成される可能性がある。当然ながら、距離３０１が小さく保たれる場合、縁２９９が角２９８を過ぎて延在する距離は低減され得る。しかしながら、エネルギー消費デバイスを位置付けるときの動作の簡便性を確保するために、少なくとも１ｍｍである距離３０１が有用であろうことが予想される。
【００５０】
例示的な実施形態が本明細書に示され、記載されるが、当業者は、添付の特許請求の範囲の趣旨および範囲から逸脱することなく、種々の修正を考案してもよいことが想定される。
【図１】
2013546153.tif 000003
【図２】
2013546153.tif 000004
【図３】
2013546153.tif 000005
【図４】
2013546153.tif 000006
【図５】
2013546153.tif 000007
【図６】
2013546153.tif 000008
【図７】
2013546153.tif 000009
【図８】
2013546153.tif 000010
【図９】
2013546153.tif 000011
【図１０】
2013546153.tif 000012
【図１１】
2013546153.tif 000013
【図１２】
2013546153.tif 000014
【図１３】
2013546153.tif 000015
【図１４】
2013546153.tif 000016
【図１５】
2013546153.tif 000017
【図１６】
2013546153.tif 000018
【図１７】
2013546153.tif 000019
【図１８】
2013546153.tif 000020
【図１９】
2013546153.tif 000021
【図２０】
2013546153.tif 000022
【図２１】
2013546153.tif 000023
【図２２】
2013546153.tif 000024
【図２３】
2013546153.tif 000025
【図２４】
2013546153.tif 000026
【図２５】
2013546153.tif 000027
【図２６】
2013546153.tif 000028
【図２７】
2013546153.tif 000029
【図２８】
2013546153.tif 000030
【図２９】
2013546153.tif 000031
【図３０】
2013546153.tif 000032
【図３１】
2013546153.tif 000033
【国際調査報告】
2013546153.tif 000034
2013546153.tif 000035